(57)【要約】【目的】畝へ均一に灌水し、さらに苺収穫の終了時のフィルム撤去作業を飛躍的に合理化するため、マルチフィルム敷設方法を提供することを目的としている。【構成】農業用マルチフィルムの敷設作業において、畝の中央に設けられている灌水チューブを跨ぐように敷設具としてピンを等間隔に立て、該ピンにスリット孔がミシン目状に施されているマルチフィルムを被せることにより、畝の中央の地面とマルチフィルムの間に空間を設け、畝の中央部分のマルチフィルムを弛ませて敷設することを特徴とする農業用マルチフィルム敷設方法を提供する。【選択図】図１
2005341903.tif 000002
【特許請求の範囲】
【請求項１】
農業用マルチフィルムの敷設作業において、スリット孔がミシン目状に施されているマルチフィルムと畝の中央の地面との間に空間を設け、畝の中央部分のマルチフィルムを弛ませて敷設することを特徴とする農業用マルチフィルム敷設方法。
【請求項２】
畝の中央に設けられている灌水チューブを跨ぐように敷設具を等間隔に立て、該敷設具にマルチフィルムを被せることにより、畝の中央の地面とマルチフィルムとの間に空間が設けられるようにしたことを特徴とする請求項１記載の農業用マルチフィルム敷設方法。
【請求項３】
前記敷設具がその上部に敷設具を連結するためのロープ保持部分を有するとともに、当該ロープ保持部分を敷設具の頂部より下側に配置したことを特徴とする請求項２記載の敷設具。
【発明の詳細な説明】
【技術分野】
【０００１】
本発明は農業用マルチフィルム、とりわけ苺栽培に使用するマルチフィルムの敷設方法及び敷設具に関するものである。
【背景技術】
【０００２】
苺栽培においては、一般的に水位の管理と収穫作業の利便性を備えるため、３０〜５０ｃｍ程の高さの畝を作り、２条の苗を植える栽培方法が行なわれる。さらに、畝の高さを１０〜２０ｃｍ程度にして、４条の苗を植える方法もある。いずれの方法にも地面の保湿保温、雑草の予防、実の汚染防止等のためにマルチフィルムを畝や通路の全面に敷設する。
【０００３】
苺以外の作物では、苗を植える前に農地を覆うフィルムを敷設するため、作物に合った大きさの孔が予め所定の間隔で開いているフィルムを使用できるが、苺栽培においては、苗を植えた後、ある程度生長させてから苗の土面をフィルムで覆う作業を行なうので、予め孔が設けられているフィルムは使用できず、孔の設けられていない黒い幅広のフィルムを使用して、苺苗の位置に合せて穿孔していく作業を行なっていた。しかしこの作業は苺苗の場所を特定しにくく、又、一つ一つ孔を設け、その孔から苺苗を引っ張り出す作業が重労働であったため、特許文献１に示すフィルムへの穿孔装置が発明された。この発明によれば、マルチフィルムに所定の間隔でスリット孔を穿設することにより、ミシン目が形成され、苺苗の上にある位置のミシン目を引き裂くことによって、容易に苺苗にマルチフィルムを敷設することができるようになった。
【０００４】
しかしながら、上記方法によりマルチフィルムを敷設しても、条間の中央付近長手方向に敷設してある灌水チューブの上面とフィルムが接する状態になるため、フィルムや灌水チューブの特性の違いにより双方が密着し、灌水の妨げになったり、灌水チューブが長いため給水圧が場所によって変動し、十分な灌水ができなかったり、蛇行防止のピンが深くささり過ぎて、チューブ内の水の流れを妨げたりする場合がある。
【０００５】
又、収穫作業が終了し、苺株の残渣やマルチフィルムを撤去する際、稲刈り用の鎌や、肩掛け式の草刈り機で株とマルチフィルムの間を切断し、残渣を圃場外へ搬出し、それからマルチフィルムを剥がす作業形態をとっていたが、草勢が強かったり、匍匐茎が邪魔であったりして、１００坪あたり約２０００本もの株を引き抜く作業は重労働となり、さらにはマルチフィルムが草刈り機の回転部分に絡んだり、苺の果汁が作業者に飛び散ったりするため、マルチフィルムの撤去は大変な作業であった。また、残渣の場外搬出を行うにもハウス内に散乱した残渣を集めなければならず、多大な労力を必要とした。加えて、マルチフィルムの処分にあたり、土や残渣を分離していないと処理業者に引き取ってもらえず、又、引き取られる容積で処分費が決まるため、幅広のマルチフィルムをコンパクトに圧縮する高価な巻き取り機などを購入しなければならなかった。
【０００６】
【特許文献１】特開２００３−２３５３６８
【発明の開示】
【発明が解決しようとする課題】
【０００７】
そこで本発明は畝へ均一に灌水するとともに苺収穫の終了時のフィルム撤去作業を飛躍的に合理化するため、マルチフィルム敷設方法及び敷設具を提供することを目的としている。
【課題を解決するための手段】
【０００８】
農業用マルチフィルムの敷設作業において、スリット孔がミシン目状に施されているマルチフィルムと畝の中央の地面との間に空間を設け、畝の中央部分のマルチフィルムを弛ませて敷設することを特徴とする農業用マルチフィルム敷設方法を提供することにより、前記課題を解決する。  
【０００９】
畝の中央に設けられている灌水チューブを跨ぐように敷設具を等間隔に立て、該敷設具にマルチフィルムを被せることにより、畝の中央の地面とマルチフィルムとの間に空間が設けられるようにしたことを特徴とする農業用マルチフィルム敷設方法を提供することにより、前記課題を解決する。
【００１０】
さらに前記敷設具がその上部に敷設具を連結するためのロープ保持部分を有するとともに、当該ロープ保持部分を敷設具の頂部より下側に配置したことを特徴とした敷設具を提供することによって前記課題を解決する。
【発明の効果】
【００１１】
本発明の農業用マルチフィルム敷設方法を利用してマルチフィルムを敷設することにより、ミシン目状に設けられたスリット孔を容易に引き裂くことができるので、苺に被覆されているマルチフィルムの撤去作業が容易となる。
【００１２】
本発明の農業用マルチフィルム敷設方法に際し敷設具としてピンを使用することにより、灌水チューブとマルチフィルムの間に空間を設けることができるので、灌水の際に、チューブがマルチフィルムに当接することがなく、十分かつ均一な灌水ができる。さらにマルチフィルムを弛ませて敷設することができるため、弛ませずにマルチフィルムを敷設した場合と比較して、スリット孔に沿ってマルチフィルムを引き裂く際の抵抗が少なく、容易に撤去作業が行なえる。
【００１３】
又、敷設具としてピンを使用することによって灌水チューブをガイドできるので、チューブが蛇行して灌水の妨げとなることがなく、又、苗を傷つけずにチューブを配置させることができる。そして、これらのピンを等間隔に連結しておくことで、畝上に一定の間隔でピンを配置することができ、又、ピンの撤収作業が容易となるとともに、等間隔に連結した状態で保管しておくことで次年度の栽培においても継続して使用することが可能である。
【発明を実施するための最良の形態】
【００１４】
本発明について図面を用いて説明する。図１は本発明にかかるマルチフィルム敷設方法でマルチフィルムを敷設した場合の断面図を表している。図２は敷設具としてピンを用いてマルチフィルムと地面との間に空間を設けた状態を表している。図３はマルチフィルムの撤去作業の際、ミシン目状に設けられているスリット孔に沿って、マルチフィルムの中央部を両端部から引き裂いている図である。
【００１５】
図１に示すように、苺苗１の各条（１Ａ、１Ｂ）の間には灌水チューブ２が配置されており、該灌水チューブ２を跨ぐように、等間隔にピン６を畝４の上面に刺していく。
【００１６】
図２に示すように、敷設具としてのピン６は上部にロープ保持部分を有しており、好ましくはロープ保持部分を頂部より下側に有している。例えば上部にループ６Ａが設けられており、そのループ６Ａにロープ７を挿入し、結び目７Ａを作ることによって、畝４上に等間隔でピン６を刺せるようにすることができる。尚、このピン６はＵ字型やコの字型のピンの上部に、下向きにループ６Ａを設けてあることが好ましい。無論、これ以外の形状であってもよく、一本脚のピンの上部にループを設けてあってもよい。そしてこれらのピンを等間隔に連結できるような構造となっていることが望ましい。ピン６は灌水チューブ２内を通る水の妨げとならないように、灌水チューブ２に当接することなく、地面に深く差し込みすぎない程度に設けることができる。尚、一本脚のピンの上部にループを設けてあるピンを使用する場合には、灌水チューブを跨ぐように互い違いにピンを刺してガイドするように設けるのが望ましい。
【００１７】
ピン６の間隔は５〜６メートルとするのがよい。ロープ７で繋ぎ合せておくなら、撤去時にピン６の回収も容易になる。さらには結び目７Ａ等を作ってロープ７とピン６を固定しておくなら、次年度の栽培にも使用することができ、都合がよい。尚、ロープ７とピン６の固定手段は結び目７Ａ以外の手段によっても可能であり、例えばクリップ等の部材を使用できる。さらに、ピン６をロープ７に固定しなくてもよく、ピン６を畝４に等間隔で刺すようにロープ７に目印を設けてあればよい。
【００１８】
次に、図示しないマルチフィルム穿孔装置によってミシン目状にスリット８が穿孔されたマルチフィルム３を苺苗１に被せるように配置する。マルチフィルム穿孔装置は条数や条間に合せてスリット孔８を穿設する位置が可変となるよう構成されている。該装置を用いてスリット孔８を穿設する際には、マルチフィルム３を弛ませて敷設するために、苺苗の各条の幅よりも広くなるように該装置に設けられている穿孔手段の幅を設定しておくのがよい。
【００１９】
そして苺苗１が真下にあるため盛り上がった部分のマルチフィルム３に設けられたスリット孔８を引き裂き、その孔から苺苗１を引っ張り出し、畝４にマルチフィルム３を敷設する。その際、ピン６にマルチフィルム３を被せるように敷設することによって、地面とマルチフィルム３の間に空間５を生じさせ、マルチフィルム３を弛ませて敷設する。該空間５を設けることによって、灌水チューブ２がマルチフィルム３に接合することがないので、灌水を妨げることがない。
【００２０】
図３に示すように、撤去作業の際には、畝４中央部に敷設されているマルチフィルム３の弛んだ部分３Ａを持ち、ミシン目状に設けられているスリット孔８に沿って引き裂いていく。畝４の脇を歩きながら歩行速度に合せて、引き裂いたマルチフィルム３Ａを手繰り寄せ、畝４の端部まで引き裂く。その後、畝４の斜面と通路に残っているマルチフィルム３Ｂを撤去する。尚、通路には隣の畝に敷設したマルチフィルム３の端部も重なって敷設されているので、併せて撤去すると合理的である。
【００２１】
マルチフィルム３を弛んだ状態で敷設し、空間５を設けておくと、弛みのない状態で敷設した時と比較し、抵抗が少ないのでミシン目に沿ってマルチフィルム３を引き裂くのが格段に容易となり、マルチフィルム撤去作業を容易にならしめる。
【実施例１】
【００２２】
図４に示すように敷設具としてのピン６の上部に凹部６Ｂを設け、その凹部にロープを挿入して保持することもできる。このピンによれば端部を互いに近づけると上部の凹部６Ｂの開口部が広がるので、ロープの太さに合わせてピンの凹部６Ｂを開口することができる。そして、ループ状になっている場合と比較して凹部にロープを挿入する方がロープとピンの固定をさせる際の作業がし易いので、より簡単にピンの敷設が行なえる。
【００２３】
また、ピン６の端部を互いに近づけることによって、ピン６の端部の幅が調節できるため、灌水チューブ２の幅に合わせた形状に自在に変更することができる。これにより、灌水チューブのガイドを的確に行なえる。尚、当該ピンを用いたマルチフィルムの敷設方法については上述した方法と同様であるため、省略する。
【図面の簡単な説明】
【００２４】
【図１】マルチフィルムを敷設した状態の図
【図２】敷設具（ピン）を畝に刺した状態の図
【図３】中央部のマルチフィルムを引き剥がしている状態の図
【図４】敷設具
【符号の説明】
【００２５】
１、１Ａ、１Ｂ  苺苗
２  灌水チューブ
３、３Ａ、３Ｂ  マルチフィルム
４  畝
５  空間
６  敷設具（ピン）
６Ａ  ループ
６Ｂ  凹部
７  ロープ
７Ａ  結び目
８  スリット孔
【図１】
2005341903.tif 000003
【図２】
2005341903.tif 000004
【図３】
2005341903.tif 000005
【図４】
2005341903.tif 000006